(57)【要約】【課題】鉄筋直径が大きく異なっても、一つの形態の金具によって鉄筋を取り付けることができる鉄筋取り付け金具を提供すること。【解決手段】鉄筋取り付け金具本体１における平行する一対の側板２に渡って、ワイヤー等の線材３を挿通する貫通孔４を穿設した巻取り軸５が回転自在に設けられ、前記巻取り軸５にラチェットホイール６が固定され、前記ラチェットホイール６と噛合って巻取り軸５の回転を一方向のみに規制するラチェット７が前記鉄筋取り付け金具本体１に設けられ、前記ラチェット７は前記ラチェットホイール６との噛合い方向へバネ８により付勢され、前記バネ８に抗して噛合いを解除する解除装置９を備えており、前記鉄筋取り付け金具本体１の後端部に連結部１０が設けられ、かつ前記巻取り軸５の貫通孔４に端部が挿入可能なワイヤー等の線材３が着脱自在に設けられている。【選択図】　図６
2004084190.tif 000002
【特許請求の範囲】
【請求項１】
鉄筋取り付け金具本体における平行する一対の側板に渡って、ワイヤー等の線材の端部を挿通係止するための貫通孔を穿設した巻取り軸が回転自在に設けられ、前記巻取り軸にラチェットホイールが固定され、前記ラチェットホイールと噛合って巻取り軸の回転を一方向のみに規制するラチェットが前記鉄筋取り付け金具本体に設けられ、前記ラチェットは前記ラチェットホイールとの噛合い方向へバネにより付勢され、前記バネに抗して噛合いを解除する解除装置を備えており、前記鉄筋取り付け金具本体の後端部に連結部が設けられ、かつ前記巻取り軸の貫通孔に端部が挿入可能なワイヤー等の線材が着脱自在に設けられていることを特徴とする鉄筋取り付け金具。
【請求項２】
前記巻取り軸の軸長手方向に間隔をおくと共に、軸直角方向に、２つの貫通孔が設けられていることを特徴とする請求項１に記載の鉄筋取り付け金具。
【請求項３】
ラチェットホイールの外側面に同軸にラチェット式レンチのソケットが嵌合するナットを固着したことを特徴とする請求項１または２記載の鉄筋取り付け金具。
【請求項４】
線材がワイヤーまたはロープのいずれかであることを特徴とする請求項１〜３のいずれか１項に記載の鉄筋取り付け金具。
【発明の詳細な説明】
【０００１】
【発明の属する技術分野】
本発明は、例えば、親綱等の条体を緊張状態で柱鉄筋等の鉄筋に架設するための端部に使用される端部金具となる鉄筋取り付け金具に関するものである。
【０００２】
【従来の技術】
従来、鉄筋取り付け金具としては、図１２に示すように、一端部が枢着された開閉可能な一対の鋼製把持片３７を使用して、これらを柱鉄筋３０のまわりに挟むように配置して、各鋼製把持片３７の他端側をボルト・ナット３８により接近させて、鉄筋３０をつかむように把持する鉄筋把持金具３９が知られている。
【０００３】
前記従来の場合には、一端部が枢着された開閉可能な一対の鋼製把持片を使用し、各鋼製把持片３７の他端側をボルト・ナット３８により把持する形式であるので、鉄筋断面径が狭く限られた範囲の鉄筋については、一つの鉄筋把持金具３９により対応することができるが、鉄筋の直径の大きく異なる幅広い各種の鉄筋に対応することができず、鉄筋直径によって大きさの異なる鉄筋把持金具３９を用意する必要があった。
【０００４】
【発明が解決しようとする課題】
本発明は、鉄筋の直径の大きく異なる各種の鉄筋に対応することができ、鉄筋直径が大きく異なっても、一つの形態の金具によって鉄筋を取り付けることができる鉄筋取り付け金具を提供することを目的とする。
【０００５】
【課題を解決するための手段】
以上の目的を達成するために、請求項１の鉄筋取り付け金具１２においては、鉄筋取り付け金具本体１における平行する一対の側板２に渡って、ワイヤー等の線材３を挿通する貫通孔４を穿設した巻取り軸５が回転自在に設けられ、前記巻取り軸５にラチェットホイール６が固定され、前記ラチェットホイール６と噛合って巻取り軸５の回転を一方向のみに規制するラチェット７が前記鉄筋取り付け金具本体１に設けられ、前記ラチェット７は前記ラチェットホイール６との噛合い方向へバネ８により付勢され、前記バネ８に抗して噛合いを解除する解除装置９を備えており、前記鉄筋取り付け金具本体１の後端部に連結部１０が設けられ、かつ前記巻取り軸５の貫通孔４に端部が挿入可能な鉄筋抱持用ワイヤー等の線材３が着脱自在に設けられていることを特徴とする。
【０００６】
また、請求項２の鉄筋取り付け金具においては、前記巻取り軸５の軸長手方向に間隔をおくと共に、軸直角方向に、２つの貫通孔４ａ，４ｂが設けられていることを特徴とする。
【０００７】
さらに、請求項３の発明においては、請求項１または２に記載の鉄筋取り付け金具１２において、ラチェットホイール６の外側面に同軸にラチェット式レンチのソケットが嵌合するナット１１を固着したことを特徴とする。
さらにまた、請求項４の発明においては、請求項１〜３のいずれか１項に記載の鉄筋取り付け金具１２において、線材がワイヤーまたはロープのいずれかであることを特徴とする。
【０００８】
【発明の実施の形態】
本発明の実施の形態を図面を参照しながら説明する。
【０００９】
図１〜図４は本発明の第１実施形態の鉄筋取り付け金具１２を示すものであって、断面コの字状の鋼製鉄筋取り付け金具本体１は、間隔をおいて平行に設けられた一対の側板２を備えていると共に、前記各側板２は連結板１３によって一体にされている。前記各側板２の先端部の左右方向の中央部には、後方に向かってほぼ鈍角Ｖ字状に凹む、鉄筋位置決め用の凹部２３が設けられている。
【００１０】
前記各側板２に渡って、ワイヤー等の線材３を挿通する貫通孔４を穿設した巻取り軸５の両端軸部が回転自在に支承されるように設けられている。各貫通孔４の軸方向外側の軸中間部には、軸中央側に向かって傾斜するフランジを備えた巻取り軸５とされ、線材３を巻取り軸５の中央側で巻き取るようにガイドしている。
【００１１】
前記巻取り軸５は、図示の実施形態のように鉄筋取り付け金具本体１に縦向きに回転自在に取り付けてもよく、あるいは横向きに回転自在に取り付けてもよいものであり、適宜側板２を左右に設けて、あるいは図示のように上下に設けてもよい。
【００１２】
前記の巻取り軸５に設けられている貫通孔４は、ワイヤー等の線材３の両端部３ａを挿入係止するため、あるいは、複数本のワイヤー等の線材を使用可能にするために、巻取り軸５の軸長手方向に間隔をおいて、複数の貫通孔４が設けられている。また、複数の貫通孔４を同じ向きに設けているが、軸に設ける角度（位相）を変えて設けてもよい。
【００１３】
前記巻取り軸５に、側板２の外側において、巻取り軸５に一体に連設された中間角軸部にラチェットホイール６が嵌合固定され、また、前記中間角軸部に一体に連設された雄ねじ軸部１４にナット１１が螺合されていると共にピン等により固定されている。
【００１４】
前記ラチェットホイール６と噛合って巻取り軸５の回転を一方向のみに規制するラチェット７が前記鉄筋取り付け金具本体１に支軸１５を中心として回動可能に枢着されて設けられ、ラチェット７の爪片がラチェットホイール６に係合している。また、前記ラチェット７には、解除用アーム１８が一体に設けられている。
【００１５】
また、前記ラチェット７は、前記ラチェットホイール６との噛合い方向へバネ８により付勢されており、このようにするために、コイル式のバネ８の一端部が側板２に係止され、また、バネ８の中間部は側板２に固定された片持ち式支持軸２５に掛けまわし、バネ８の他端部は、前記ラチェット７の解除用アーム１８を常時時計方向（右回転方向）に押圧するように係止されて、常時ラチェット７の爪片１７をラチェットホイール６に向って係合するように付勢され、ラチェットホイール５の反半時計方向への回転を防止するように構成されている。
【００１６】
また、前記解除用アーム１８を、支軸１５を中心として反時計方向に押すようにしてラチェット７を回転させると、その爪片１７がラチェットホイール６から離れて、巻取り軸５は回転フリー状態になる。
【００１７】
このように、前記バネ８に抗して噛合いを解除する手動式の解除装置９を備えており、また、前記鉄筋取り付け金具本体１の後端部には、アイボルト２１の雄ねじ軸部１９が前記連結板１３の透孔に挿通されると共に、前記雄ねじ軸部１９に螺合されて溶接により固定されたナット２０により回転可能に鉄筋取り付け金具本体１に取り付けられて構成された連結部１０が設けられている。
【００１８】
前記の連結部１０は、各種の形態が考えられ、前記アイボルト２１に代えて、連結板１３に透孔を設けて、直接親綱等の係止フックを係止して連結したり、あるいは、アイボルトあるいは連結係止用段状軸部を固定する等各種の形態が可能である。また、鉄筋取り付け金具本体１自体に、フック係止孔等の連結部を設けることも可能である。
【００１９】
また各側板２の先端側の両側には、各側板２の透孔に渡って側板２の補強用およびワイヤー等の線材ガイド用の杆体２２が挿通されて溶接により固定されている。
【００２０】
前記杆体２２は、前記巻取り軸５の貫通孔４に鉄筋抱持用のワイヤー等の線材３の端部３ａを鉄筋の外側から鉄筋取り付け金具１２内の巻取り軸５に装着するときに、ガイドの作用をし、ワイヤー等の線材３の端部側の中間部が鉄筋取り付け金具１２から離脱しないように、かつ作業員がワイヤー等の線材３の端部付近を持って、各貫通孔４ａ，４ｂに挿入が容易にするために設けられ、鉄筋取り付け金具本体１と分離している鉄筋抱持用のワイヤー等の線材３が装着操作を容易にするために、また、逆にワイヤー等の線材３の離脱操作の時に、ワイヤー等の線材３の弾性力によりワイヤー等の線材３が自重により自然落下させない作用もある。
【００２１】
なお、前記実施形態の鉄筋取り付け金具１２においては、前記巻取り軸５の軸長手方向に間隔をおくと共に、軸直角方向に、２つの貫通孔４ａ，４ｂが設けられている。
【００２２】
さらに、鉄筋取り付け金具１２には、ラチェットホイール６の外側面に同軸にラチェット式レンチのソケットが嵌合するナット１１を固着している。
【００２３】
次に、本発明の鉄筋取り付け金具１２を使用して、これを、横方向に間隔を置いて隣り合う各柱鉄筋３０に固定し、親綱３１を張設する場合について、図１０を参照して説明する。
【００２４】
先ず、図１〜図３に示す状態の鉄筋取り付け金具１２を、コンクリート製床スラブ７０上において、横方向に間隔をおく各柱における主筋となる各一つの柱鉄筋３０における所定のレベルに配置する。すなわち、柱鉄筋３０間において、前記各鉄筋取り付け金具１２の後部側の連結部１０を対向するように配置する。そして図５〜図８の太径の柱鉄筋３０の場合、図９に示す細径柱鉄筋３０の場合も、ワイヤー等の線材３を柱鉄筋３０の側周面を抱き込むように配置して、ワイヤー等の線材３の両端部３ａを鉄筋取り付け金具１２における貫通孔４ａ，４ｂに挿入係止させる。
【００２５】
この時、杆体２２があるので、ワイヤー等の線材３の端部３ａから中間部は鉄筋取り付け金具本体１から離れる恐れがなく、ワイヤー等の線材３の弾性力とも相俟って、貫通孔４ａ，４ｂへの挿入を容易にしている。そして、前記ラチェットホイール６を一方向に回転させるべく、ナット１１をラチェットレンチ等の回動工具により回転させて、ワイヤー等の線材３を巻取り軸５に巻き取って、各側板２の鉄筋位置決め用の凹部２３に柱鉄筋３０に圧着させると共にワイヤー等の線材３の内側を圧着させ、鉄筋取り付け金具１２を強固に柱鉄筋３０に固定する。なお、図９に示す細径柱鉄筋３０を取り付ける場合も同様である。
【００２６】
次いで、一方の鉄筋取り付け金具１２の連結部１０におけるアイボルト２１の係止環部２４に、ロープ等の親綱３１の一端側に固定の係止フック３２を備えた係止フック付き親綱４０を係止させ、かつ他方の鉄筋取り付け金具１２の連結部１０における係止環部２４に、係止用フック３３を有すると共に親綱緊張保持金具３４を有する係止フック付き緊張保持金具３５における前記係止用フック３３を係止させ、かつ前記親綱緊張保持金具３５内のロープ押え受部材（図示を省略）とロープ抑え回動体の間にロープ等の親綱３１の他端側（フリー端部４１）を挿通すると共に、親綱３１を緊張した状態でロープ押え受部材とロープ抑え回動体とにより、緊張状態の親綱３１の他端側を保持するか、他の適宜の巻取り式緊張装置を介在させて、親綱３１の張設を完了させる。そして、親綱３１に、作業員側の命綱３６の一端側を連結する。
【００２７】
本発明では、適宜の長さのワイヤー等の線材３を使用して、比較的大径または小径の鉄筋を鉄筋取り付け金具１２に取り付けることができ、ワイヤー等の線材としては、被覆ワイヤーを使用してもよく、被覆ロープ等も使用してもよい。また、本発明では、柱鉄筋３０の周側面をワイヤー等の線材３により抱持する直前において、柱鉄筋３０に対してワイヤー等の線材３の緩み長さがあっても、巻取り軸５にワイヤー等の線材３の両側が巻き取られるので、迅速にワイヤー等の線材３を巻取り軸５に巻き取ることができる。
【００２８】
なお、前記の鉄筋取り付け金具１２を取り外す場合は、親綱３１を取り外して、解除用アーム１８を反時計方向に回動して、爪片１７をラチェットホイール６から離脱させ、ワイヤー等の線材３の弾性力により巻取り軸５を逆回転させるか、必要に応じ適宜ナット１１に回動工具を係合して巻取り軸５を逆回転させ、ワイヤー等の線材３を緩めて、鉄筋取り付け金具１２から離脱させることにより鉄筋取り付け金具１２を柱鉄筋３０から取り外すことができる。
【００２９】
前記実施形態においては、巻取り軸５の複数の貫通孔４ａ，４ｂに、１本のワイヤー等の線材３の両端部３ａをそれぞれ挿通係止するようにしたが、本発明を実施する場合、２本のワイヤー等の線材を並列させて前記実施形態と同様に使用するようにしてもよく、また、２本のワイヤー等の線材の内、一方の線材の両端部を貫通孔４ａに挿入係止し、他方の線材の両端部を貫通孔４ｂに挿入係止して、２本のワイヤー等の線材を同じ方向に巻き取るようにしてもよい。
また、巻取り軸５の貫通孔４ａ，４ｂの開口端部にエッジを形成するようにして、合成樹脂被覆ワイヤー３等または合成樹脂被覆ロープ等の端部の係止効果を高めてもよい。巻取り軸５は、矩形断面等適宜の断面形状であってもよい。
【００３０】
本発明を実施する場合、柱鉄筋３０以外の縦鉄筋または横鉄筋（または鋼製棒状杆体に）を取り付けるようにしてもよい。
また、線材がワイヤーまたはロープのいずれかであると、適度な曲げ剛性および弾性力があるので、貫通孔に線材の端部を挿入係止する時に係止効果を高めることができる。
なお、ワイヤーとしては、合成樹脂被覆ワイヤーを使用してもよく、また、ロープとしては、合成繊維性ロープまたは合成樹脂被覆ロープあるいはその他のロプであってもよい。
【００３１】
【発明の効果】
本発明によると、次のような効果を奏する。
請求項１の鉄筋取り付け金具によると、鉄筋の直径の大きく異なる各種の鉄筋に対応することができ、鉄筋直径が大きく異なっても、一つの形態の金具によって鉄筋を取り付けることができる。また、本発明の金具は、単にワイヤー等の線材の端部を巻取り軸に挿入係止して、巻取り軸を回転させるだけであるので、取り扱いが容易であり、さらに構造が簡単であり製作が容易である等の効果がある。
【００３２】
また、請求項２によると、巻取り軸の軸長方向に間隔をおいて２つの貫通孔が設けられていると、線径の細いワイヤー等の線材を使用する形態で、一本のワイヤー等の線材のみを使用した場合には、一本のワイヤー等の線材の両端部を、巻取り軸の一つの貫通孔に挿入係止させることもでき、あるいは、ワイヤー等の線材の両端部をそれぞれ巻取り軸における位置の異なる貫通孔に挿入して装着することもできる。また、線径の太い一本のワイヤーまたは合成樹脂被覆ワイヤーあるいは合成樹脂被覆ロープ等の線材を使用する形態では、線材の両端部をそれぞれ貫通孔に別個に挿入して装着することができ、線材の使用できる範囲が広がり、自由度が高くなる。
【００３３】
さらに、請求項３によると、ラチェットホイールの外側面にラチェット式レンチのソケットが嵌合するナットを設けていると、前記ナットにラチェットレンチを係合して、容易に手動式にワイヤー等の線材を巻き取るようにして、鉄筋を取り付けることができる。
【００３４】
また、線材がワイヤーまたはロープのいずれかであると、適度な曲げ剛性および弾性力があるので、貫通孔に端部を挿入係止する時に係止効果を高めることができる。
【図面の簡単な説明】
【図１】本発明の一実施形態の鉄筋取り付け金具を示す平面図である。
【図２】本発明の一実施形態の鉄筋取り付け金具を示す側面図である。
【図３】本発明の一実施形態の鉄筋取り付け金具を示す正面図である。
【図４】本発明の一実施形態の鉄筋取り付け金具の横断平面図である。
【図５】本発明の一実施形態の鉄筋取り付け金具を鉄筋に当接させると共に、ワイヤー等の線材を鉄筋の回りに抱持するようにして、ワイヤーの端部を鉄筋取り付け金具に挿入係止した状態を示す横断平面図である。
【図６】図５の状態の側面図である。
【図７】図５の状態から取り軸に巻き取って、鉄筋を鉄筋取り付け金具に取り付けた状態を示す横断平面図である。
【図８】図７の状態の側面図である。
【図９】比較的小径の鉄筋を鉄筋取り付け金具に取り付けた状態を示す横断平面図である。
【図１０】本発明の鉄筋取り付け金具を柱鉄筋に取り付けると共に、親綱を緊張状態で張設した状態を示す概略正面図である。
【図１１】一端部に係止フックを備えた親綱を示す正面図である。
【図１２】従来の鉄筋取り付け金具を柱鉄筋に取り付けて親綱を張設した状態を概略正面図である。
【符号の説明】
１　鉄筋取り付け金具本体
２　側板
３　ワイヤー等の線材
３ａ　線材の端部
４　貫通孔
５　巻取り軸
６　ラチェットホイール
７　ラチェット
８　コイルバネ
９　解除装置
１０　連結部
１１　ナット
１２　鉄筋取り付け金具
１３　連結板
１４　雄ねじ部軸部
１５　支軸
１７　ラチェットの爪片
１８　解除用アーム
１９　雄ねじ軸部
２０　ナット
２１　アイボルト
２２　杆体
２３　鉄筋位置決め用の凹部
２４　係止環部
２５　片持ち式支持軸
３０　柱鉄筋
３１　親綱
３２　係止フック
３３　係止フック
３４　親綱緊張保持金具
３５　係止フック付き緊張保持金具
３６　命綱
３７　鋼製把持辺
３８　ボルト・ナット
３９　鉄筋把持金具
４０　係止フック付き親綱
４１　親綱のフリー端部
【図１】
2004084190.tif 000003
【図２】
2004084190.tif 000004
【図３】
2004084190.tif 000005
【図４】
2004084190.tif 000006
【図５】
2004084190.tif 000007
【図６】
2004084190.tif 000008
【図７】
2004084190.tif 000009
【図８】
2004084190.tif 000010
【図９】
2004084190.tif 000011
【図１０】
2004084190.tif 000012
【図１１】
2004084190.tif 000013
【図１２】
2004084190.tif 000014